(57)【要約】【課題】経年劣化による扉と扉枠間の距離が変動した場合であっても、所定の施錠力を有することができるロック装置を提供することを課題とするものである。【解決手段】扉Ａの施錠及び解錠を行うロック装置において、扉Ａ又は扉枠Ｂの一方にラッチ部１、他方にキャッチ部２が配設され、ラッチ部１は、扉Ａの開閉方向と垂直な方向に移動可能であるラッチボルト１０と、ラッチボルト１０の移動を制御する制御手段１１とを有し、キャッチ部２は、ラッチボルト１０と係合するキャッチ２０を有し、ラッチボルト１０は、移動方向に対して傾斜した傾斜面１０ａを有し、制御手段１１は、ラッチボルト１０の傾斜面１０ａに当接して移動することで、ラッチボルト１０を扉Ａの開閉方向と垂直な方向へ移動させることができ、施錠時又は解錠時のラッチボルト１０の位置を変更することができる一又は複数のクサビ１４を有している。【選択図】図１
2008267024.tif 000002
【特許請求の範囲】
【請求項１】
扉の施錠及び解錠を行うロック装置において、扉又は扉枠のいずれか一方に配設されるラッチ部と、扉又は扉枠のいずれか他方に配設されるキャッチ部とを備え、ラッチ部は、扉の開閉方向と垂直な方向に移動可能であるラッチボルトと、ラッチボルトの移動を制御する制御手段とを有し、キャッチ部は、ラッチボルトと係合するキャッチと、キャッチをラッチボルトに向かう方向に付勢する変位部材とを有し、ラッチボルトは、移動方向に対して傾斜した傾斜面をキャッチと係合する側と反対側に有し、制御手段は、ラッチボルトの傾斜面に当接して移動することによって、ラッチボルトを扉の開閉方向と垂直な方向へ移動させることができ、施錠時又は解錠時におけるラッチボルトの位置を変更することができる一又は複数のクサビを有することを特徴とするロック装置。
【請求項２】
制御手段は、回転動力を発生させる電動機と、電動機に接続されて電動機の回転動力によって回転するネジ部とを有し、クサビは、ネジ部の回転によって移動するようにネジ部と螺合していることを特徴とする請求項1記載のロック装置。
【請求項３】
ラッチボルトは、角度を有した少なくとも２つの傾斜面を有し、ネジ部は、中央付近を境にして右ネジと左ネジとで構成されており、一のクサビは、一の傾斜面に当接してネジ部の右ネジと螺合し、他のクサビは、他の傾斜面に当接してネジ部の左ネジと螺合していることを特徴とする請求項２記載のロック装置。
【請求項４】
ネジ部のネジ山が矩形状であることを特徴とする請求項２又は３記載のロック装置。
【請求項５】
ラッチボルトと、少なくとも一のクサビとが嵌合していることを特徴とする請求項１乃至４のいずれか一項に記載のロック装置。
【請求項６】
解錠動作時のクサビへの衝撃を緩和するクサビ緩衝部を備えたことを特徴とする請求項１乃至５のいずれか一項に記載のロック装置。
【請求項７】
移動時のラッチボルトへの衝撃を緩和するラッチボルト緩衝部を備えたことを特徴とする請求項１乃至６のいずれか一項に記載のロック装置。
【請求項８】
制御手段は、所定の衝撃力を有してクサビの移動を開始するものであることを特徴とする請求項１乃至７のいずれか一項に記載のロック装置。
【請求項９】
電動機は、ネジ部の周囲を覆って回転動力をネジ部へ伝達する駆動歯車を備え、ネジ部は、駆動歯車との接続部分の一部にテーパを有し、駆動歯車は、前記テーパと所定の間隔を有するように突起部を備えていることを特徴とする請求項２乃至８のいずれか一項に記載のロック装置。
【請求項１０】
クサビは、貫通孔と、貫通孔内に配設されているナットフランジとを備え、ナットフランジは、ネジ部と嵌合するナット部と、ナット部の両端であって貫通孔の外側に配設されたフランジとを備えていることを特徴とする請求項２乃至９のいずれか一項に記載のロック装置。
【請求項１１】
ナットフランジの両フランジ間の距離は、貫通孔の長さより大きいことを特徴とする請求項１０記載のロック装置。
【請求項１２】
クサビと、少なくとも一方のフランジとの間にナットフランジ緩衝部を設けたことを特徴とする請求項１０又は１１記載のロック装置。
【発明の詳細な説明】
【技術分野】
【０００１】
本願発明は、扉の施錠・解錠を電気的及び機械的に行うロック装置に関するものである。
【背景技術】
【０００２】
従来から、扉の施錠・解錠を電気的に行なうロック装置として、扉が施錠されている状態であっても非常時には所定以上の荷重を加えることで扉を強制的に解錠することができるものが知られており、例えば特開２００５−３２０８２４号公報（特許文献１）に開示されているようなものがある。この従来例は、壁面に形成されて防火扉が収納される凹所の適所に本体ハウジングが取付固定される防火扉用自動閉鎖装置であって、通常時は、本体ハウジングの切欠開口部より露出させたフックプレートに防火扉側に設けられた係合金具を押し込むことで本体ハウジングに内蔵されたラッチ機構を作動させ、フックプレートが係合金具を拘束し保持することで防火扉を凹所に収容保持し、火災発生時等の緊急時には、本体ハウジングに内蔵されたソレノイドを駆動してラッチ機構による保持を解除してフックプレートが係合金具を開放することで防火扉がドアクローザ等によって通路を閉鎖する。また、何らかの原因でソレノイドが駆動しない場合には、係合金具を所定以上の力で引っ張ることで係合金具をフックプレートから引き抜いて通路を強制的に閉鎖することができるものである。
【特許文献１】特開２００５−３２０８２４号公報
【発明の開示】
【発明が解決しようとする課題】
【０００３】
上記の従来例に示されるロック装置は、ソレノイドの駆動によって複数の部品を順番に連動させることによりラッチ機構を作動させ、フックプレートと係合金具との係止を解いて解錠する構造であるために装置の構造が複雑になるという問題があった。
【０００４】
そこで、上記問題を解決するために、簡単な構造で且つ強制的に解錠することができるロック装置として、扉又は扉枠の何れか一方に配設されるラッチ部と、扉又は扉枠の何れか他方に配設されるキャッチ部とを備えたロック装置が考えられる。
【０００５】
このロック装置は図１３に示すように、ラッチ部１は、扉Ａの開閉方向と垂直な方向に移動自在であってキャッチ部２に向かう方向に付勢されたラッチボルト１０と、通電／非通電によりラッチボルト１０の移動を制御する制御手段１１とを有している。キャッチ部２は、ラッチボルト１０と係合するキャッチ２０と、キャッチ２０をラッチボルト１０に向かう方向に付勢する変位部材２１及び２２とを有している。ラッチボルト１０がキャッチ２０に係合した状態において、制御手段１１に通電がされることによってラッチボルト１０の移動を阻止することができ、扉Ａが施錠される。また、制御手段１１への通電を停止することによってラッチボルト１０の移動阻止を解除することができ、扉Ａは解錠される。
【０００６】
さらに、施錠時において、何らかの要因によってラッチボルト１０の移動阻止を解除することができない場合、扉Ａに変位部材２１及び２２の付勢力以上の荷重を加わえることにより、キャッチ２０が変位してラッチボルト１０とキャッチ２０の係合が外れることで扉Ａを解錠することができる。
【０００７】
しかし、このロック装置においては、制御手段１１がラッチボルト１０の移動を阻止することによって扉Ａが施錠されるが、建付けの経年劣化により扉Ａと扉枠Ｂ間の距離が変動した場合、キャッチ２０の位置が変化しラッチボルト１０の嵌合状態に変化が生じ、所定の施錠力を得ることができないという問題点があった。
【０００８】
本願発明は、上記背景技術に鑑みて発明されたものであり、その目的は、経年劣化による扉と扉枠間の距離が変動した場合であっても、所定の施錠力を有することができるロック装置を提供することを課題とするものである。
【課題を解決するための手段】
【０００９】
上記課題を解決するために、本願請求項１記載の発明では、扉の施錠及び解錠を行うロック装置において、扉又は扉枠のいずれか一方に配設されるラッチ部と、扉又は扉枠のいずれか他方に配設されるキャッチ部とを備え、ラッチ部は、扉の開閉方向と垂直な方向に移動可能であるラッチボルトと、ラッチボルトの移動を制御する制御手段とを有し、キャッチ部は、ラッチボルトと係合するキャッチと、キャッチをラッチボルトに向かう方向に付勢する変位部材とを有し、ラッチボルトは、移動方向に対して傾斜した傾斜面をキャッチと係合する側と反対側に有し、制御手段は、ラッチボルトの傾斜面に当接して移動することによって、ラッチボルトを扉の開閉方向と垂直な方向へ移動させることができ、施錠時又は解錠時におけるラッチボルトの位置を変更することができる一又は複数のクサビを有することを特徴としている。
【００１０】
本願請求項２記載の発明では、上記請求項１記載のロック装置において、制御手段は、回転動力を発生させる電動機と、電動機に接続されて電動機の回転動力によって回転するネジ部とを有し、クサビは、ネジ部の回転によって移動するようにネジ部と螺合していることを特徴としている。
【００１１】
本願請求項３記載の発明では、上記請求項２記載のロック装置において、ラッチボルトは、角度を有した少なくとも２つの傾斜面を有し、ネジ部は、中央付近を境にして右ネジと左ネジとで構成されており、一のクサビは、一の傾斜面に当接してネジ部の右ネジと螺合し、他のクサビは、他の傾斜面に当接してネジ部の左ネジと螺合していることを特徴としている。
【００１２】
本願請求項４記載の発明では、上記請求項２又は３記載のロック装置において、ネジ部のネジ山が矩形状であることを特徴としている。
【００１３】
本願請求項５記載の発明では、上記請求項１乃至４のいずれか一項に記載のロック装置において、ラッチボルトと、少なくとも一のクサビとが嵌合していることを特徴としている。
【００１４】
本願請求項６記載の発明では、上記請求項１乃至５のいずれか一項に記載のロック装置において、解錠動作時のクサビへの衝撃を緩和するクサビ緩衝部を備えたことを特徴としている。
【００１５】
本願請求項７記載の発明では、上記請求項１乃至６のいずれか一項に記載のロック装置において、移動時のラッチボルトへの衝撃を緩和するラッチボルト緩衝部を備えたことを特徴としている。
【００１６】
本願請求項８記載の発明では、上記請求項１乃至７のいずれか一項に記載のロック装置において、制御手段は、所定の衝撃力を有してクサビの移動を開始するものであることを特徴としている。
【００１７】
本願請求項９記載の発明では、上記請求項２乃至８のいずれか一項に記載のロック装置において、電動機は、ネジ部の周囲を覆って回転動力をネジ部へ伝達する駆動歯車を備え、ネジ部は、駆動歯車との接続部分の一部にテーパを有し、駆動歯車は、前記テーパと所定の間隔を有するように突起部を備えていることを特徴としている。
【００１８】
本願請求項１０記載の発明では、上記請求項２乃至９のいずれか一項に記載のロック装置において、クサビは、貫通孔と、貫通孔内に配設されているナットフランジとを備え、ナットフランジは、ネジ部と嵌合するナット部と、ナット部の両端であって貫通孔の外側に配設されたフランジとを備えていることを特徴としている。
【００１９】
本願請求項１１記載の発明では、上記請求項１０記載のロック装置において、ナットフランジの両フランジ間の距離は、貫通孔の長さより大きいことを特徴としている。
【００２０】
本願請求項１２記載の発明では、上記請求項１０又は１１のいずれか一項に記載のロック装置において、クサビと、少なくとも一方のフランジとの間にナットフランジを設けたことを特徴としている。
【発明の効果】
【００２１】
本願請求項１記載の発明のロック装置においては、ラッチボルトには、移動方向に対して傾斜した傾斜面が設けられ、制御手段は、ラッチボルトの傾斜面に当接して移動することによって、ラッチボルトを扉の開閉方向と垂直な方向へ移動させる一又は複数のクサビを有するので、クサビをラッチボルトの移動方向と垂直な方向へ移動させ、クサビにより傾斜面を押すことによって、ラッチボルトを解錠状態から施錠状態へ移動させることができる。このことによって、制御手段をラッチボルトの移動方向と垂直方向に移動するものとして構成することができるので、ラッチ部を細型化することができ、施工スペースの狭い扉枠などに取り付けることが可能になる。また、クサビは、施錠時又は解錠時におけるラッチボルトの位置を変更することができるので、扉の経年劣化等により扉と扉枠間の距離が変動した場合であっても、クサビの位置を変更することによって、ラッチボルトの突出量を任意に変更することができるので、所定の施錠力を維持することができる。
【００２２】
本願請求項２記載の発明のロック装置においては、特に、制御手段は、回転動力を発生させる電動機と、電動機に接続されて電動機の回転動力によって回転するネジ部とを有し、クサビは、ネジ部の回転によって移動するようにネジ部と螺合しているので、電動機の回転方向を制御することによって、クサビの移動方向を変更することができる。このことによって、電動機の回転を制御することによって、クサビの移動によるラッチボルトの移動を制御して扉の施錠及び解錠ができる。また、ラッチボルトの移動距離が長く、クサビの移動距離が必要である場合であっても、ネジ部の回転角度を増加させることによってクサビの移動距離を増やすことができるので、制御手段を小型にすることができる。
【００２３】
本願請求項３記載の発明のロック装置においては、特に、ラッチボルトは、角度を有した少なくとも２つの傾斜面を有し、ネジ部は、中央付近を境にして右ネジと左ネジとで構成されており、一のクサビは、一の傾斜面に当接してネジ部の右ネジと螺合し、他のクサビは、他の傾斜面に当接してネジ部の左ネジと螺合しているので、ラッチボルトを複数のクサビで支持することができる。このことによって、ラッチボルトの移動をより安定したものとすることができる。また、ネジ部の回転によって、前記クサビは、相対する方向へ移動することができる。クサビが離れる方向へ移動する場合には、ラッチボルトは、解錠する方向へ移動し、クサビが近づく方向へ移動する場合には、ラッチボルトは、施錠する方向へ移動することができる。このことによって、新たな電動機及びネジ部を追加することなく、複数のクサビの移動によるラッチボルトの移動を制御することができるので、部品点数を削減することができる。
【００２４】
本願請求項４記載の発明のロック装置においては、特に、ネジ部のネジ山が矩形状であるので、ネジ部の締結力を低減することができ、ラッチボルトのネジ部への噛み込みによる動作不良の発生を低減することができる。
【００２５】
本願請求項５記載の発明のロック装置においては、特に、施錠状態から解錠状態とするためにラッチボルトを移動させる場合に、ラッチボルトと、少なくとも一のクサビとが嵌合しているので、クサビの移動によってラッチボルトの移動をガイドすることができる。このことによって、別途ラッチボルトを施錠状態から解錠状態へと移動させるための付勢手段を設ける必要がなく、部品を削減することができる。また、ラッチボルトに付勢手段が設けられていないので、ラッチボルトを解錠状態から施錠状態へと移動させる場合に、付勢に対向してクサビを移動させる必要がなく、ネジ部のトルクを低減することができ、省電力化が可能となる。
【００２６】
本願請求項６記載の発明のロック装置においては、特に、解錠動作時のクサビへの衝撃を緩和するクサビ緩衝部を備えているので、解錠動作時にクサビが衝撃によってネジ部に噛み込むことで動作不能となる故障を削減することができ、さらに解錠と施錠の反転時の起動を容易にすることができることより信頼性を向上させることが可能である。
【００２７】
本願請求項７記載の発明のロック装置においては、特に、移動時のラッチボルトへの衝撃を緩和するラッチボルト緩衝部を備えているので、施錠時及び解錠時のラッチボルトへの衝撃を緩和することができる。このことによって、クサビへの衝撃も緩和することができるので、クサビがネジ部に噛み込むことによる動作不能となる故障を削減することができ、さらに解錠と施錠の反転時の起動を容易にすることができることより信頼性を向上させることが可能である。
【００２８】
本願請求項８記載の発明のロック装置においては、特に、制御手段は、所定の衝撃力を有してクサビの移動を開始するものであるので、クサビがネジ部に噛み込むことで動作不能となった場合においても、噛み込みを解除することができる。このことによって、クサビがネジ部に噛み込むことで動作不能となる故障を削減することができるので、信頼性を向上させることが可能である。
【００２９】
本願請求項９記載の発明のロック装置においては、特に、電動機は、ネジ部の周囲を覆って回転動力をネジ部へ伝達する駆動歯車を備え、ネジ部は、駆動歯車との接続部分の一部にテーパを有し、駆動歯車は、前記テーパと所定の間隔を有するように突起部を備えているので、電動機の起動後、所定時間後に、駆動歯車の突起部がネジ部のテーパに当接することによって、ネジ部の回転駆動を開始させることができる。このことによって、駆動歯車は助走区間を有することができ、突起部がテーパに当接する際には、所定の衝撃力を持って、ネジ部の回転駆動を開始することができる。このことによって、クサビがネジ部に噛み込んでいた場合であっても、衝撃力を伴ったネジ部の回転駆動開始によって、噛み込みを解除することができる。
【００３０】
本願請求項１０記載の発明のロック装置においては、特に、クサビは、貫通孔と、貫通孔内に設けられたナットフランジとを備え、ナットフランジは、ネジ部と嵌合するナット部と、ナット部の両端であって貫通孔の外側に配設されたフランジとを備えているので、ネジ部の回転によってナットフランジが移動し、フランジがクサビの側面を押すことでクサビを移動させることができる。このことによって、ネジ部の回転とクサビの移動にナットフランジが介在することができ、ネジ部にラジアル方向の荷重を印加することを低減することができるので、低トルク化及び動作の信頼性向上が実現できる。
【００３１】
本願請求項１１記載の発明のロック装置においては、特に、ナットフランジの両フランジ間の距離は、貫通孔の長さより大きいので、フランジとクサビとの間に隙間を設けることができる。このことによって、両フランジの距離を変更することで、フランジとクサビとの間の距離を変更することができ、反転時のナットフランジによるクサビへの衝撃力を任意に設定することができるので、クサビのネジ部への噛み込みによる動作不良の発生を低減することができる。
【００３２】
本願請求項１２記載の発明のロック装置においては、特に、クサビと、少なくとも一方のフランジとの間にナットフランジ緩衝部を設けているので、施錠時又は解錠時のナットフランジのクサビへの衝撃を緩和することができ、クサビのネジ部への噛み込みによる動作不良の発生を低減することができる。
【発明を実施するための最良の形態】
【００３３】
図１〜図４は、本願発明の第１の実施形態であるロック装置を示している。扉Ａの施錠及び解錠を行うロック装置において、扉Ａ又は扉枠Ｂのいずれか一方に配設されるラッチ部１と、扉Ａ又は扉枠Ｂのいずれか他方に配設されるキャッチ部２とを備え、ラッチ部１は、扉Ａの開閉方向と垂直な方向に移動可能であるラッチボルト１０と、ラッチボルト１０の移動を制御する制御手段１１とを有し、キャッチ部２は、ラッチボルト１０と係合するキャッチ２０と、キャッチ２０をラッチボルト１０に向かう方向に付勢する変位部材である第一の変位部材２１及び第二の変位部材２２とを有し、ラッチボルト１０は、移動方向に対して傾斜した傾斜面１０ａをキャッチ２０と係合する側と反対側に有し、制御手段１１は、ラッチボルト１０の傾斜面１０ａに当接して移動することによって、ラッチボルト１０を扉Ａの開閉方向と垂直な方向へ移動させることができ、施錠時又は解錠時におけるラッチボルト１０の位置を変更することができる一又は複数のクサビ１４を有している。また、ラッチボルト１０と、クサビ１４とが嵌合しており、解錠動作時のクサビ１４への衝撃を緩和する緩衝材又は弾性材で構成されているクサビ緩衝部１８を備え、移動時のラッチボルト１０への衝撃を緩和するラッチボルト緩衝部１９を備えている。
【００３４】
以下、この実施形態のロック装置をより具体的詳細に説明する。図１（ａ）における上下左右を上下左右方向と定めるものとする。本実施形態は、図１（ａ）に示すように、扉枠Ｂに配設されるラッチ部１と、扉Ａにラッチ部１と対向するように配設されるキャッチ部２とから成る。
【００３５】
上記ラッチ部１及びキャッチ部２は、図２に示すように、取付プレート３、４をその長手方向が上下方向と一致するようにそれぞれ扉枠Ｂ、扉Ａに当て、取付プレート３、４の上下両端部に各々貫設された取付孔３ａ、４ａを介して取付ネジ５を螺合することで扉枠Ｂ、扉Ａにそれぞれ取り付けられる。また、各部を構成する部品を保護するための保護カバー３０、４０が、ラッチボルト１０及びキャッチ２０を露出させた状態で取付プレート３、４を覆うように取り付けられ、これら保護カバー３０、４０及び取付プレート３、４からハウジングが構成される。尚、ラッチ部１は施錠・解錠の駆動信号を送信する図示しないコントローラと信号線１００で繋がっている。
【００３６】
ラッチ部１は、図１（ａ）に示すように、扉Ａの開閉方向（図１における紙面に垂直な方向）と垂直な方向（左右方向）に移動自在なラッチボルト１０と、上下方向に移動することでラッチボルト１０を移動させるクサビ１４と、クサビ１４を上下方向に移動させる電動機１２及びネジ部１３とを有する。これら電動機１２、ネジ部１３及びクサビ１４が制御手段１１を構成している。
【００３７】
電動機１２は、ネジ部１３と接続されており、ネジ部１３を上下方向へ移動させることができるものである。また、クサビ１４は貫通孔１４ｃを有してネジ部１３と螺合されており、電動機１２のネジ部１３の上下方向の移動によって、クサビ１４を上下方向へ移動させることができる。さらに、クサビ１４はネジ部１３と螺合していることより、クサビ１４を回転させることによってネジ部１３の長手方向へ自由に移動させることが可能である。このことにより、解錠時又は施錠時におけるクサビ１４の上下位置を調整することができる。
【００３８】
ラッチボルト１０は、下方へ行くにしたがって右へ傾斜している傾斜面１０ａを左端に有している。また、取付プレート３の右端縁には、左右方向に貫通した開口を有するフレーム１７が取付固定されている。フレーム１７の開口はラッチボルト１０がちょうど通過できる大きさに形成され、開口にラッチボルト１０を挿通させることで、ラッチボルト１０の左右方向以外の方向への移動を規制している。
【００３９】
クサビ１４は、ラッチボルト１０の傾斜面１０ａに当接するように下方へ行くにしたがって右へ傾斜している傾斜面１４ａを右端に有しており、クサビ１４が上方向へ移動することによって、ラッチボルト１０を右方向へ押出し移動させることができる。なお、クサビ１４は、取付板１５に左端面を当接しながら移動するため、左右方向の移動が阻止されている。また、クサビ１４は、ネジ部１３と螺合しているので、ネジ部１３の長手方向へ移動可能であり、解錠時又は施錠時におけるラッチボルト１０の左右位置を調整することが可能である。
【００４０】
また、図３に示すように、ラッチボルト１０は傾斜面１０ａに沿って凸部１０ｂを有し、クサビ１４は傾斜面１４ａに沿って前記凸部１０ｂに対応した凹部１４ｂを有している。前記凸部１０ｂと前記凹部１４ｂとが嵌合することによるガイド機構を構成することができるので、クサビ１４は上下方向へ移動した場合に、ラッチボルト１０を左右方向へ移動させることができる。すなわち、クサビ１４が上方向へ移動する場合には、クサビ１４の傾斜面１４ａがラッチボルト１０の傾斜面１０ａを押すことでラッチボルト１０は左方向へ移動し、クサビ１４が下方向へ移動する場合には、凸部１０ｂと凹部１４ｂとで構成されるガイド機構によってラッチボルト１０を左方向へ移動させることが可能となる。
【００４１】
なお、本実施形態では、ラッチボルト１０に凸部１０ｂを備え、クサビ１４に凹部１４ｂを備えたものを例示したが、ラッチボルト１０に凹部を備え、クサビ１４に凸部を備えて、ガイド機構を構成してもよい。
【００４２】
このように、クサビ１４の上下方向の移動によって、ラッチボルト１０を左右方向へ移動させることができる。
【００４３】
さらに、クサビ１４の下方には、クサビ１４の落下を防止するためのストッパー１６が設けられている。ストッパー１６とクサビ１４との間には、クサビ１４が下方向へ移動する場合に、クサビ１４への衝撃を緩衝するための緩衝材又は弾性材で構成されているクサビ緩衝部１８が設けられている。
【００４４】
また、ラッチボルト１０の左端とクサビ１４との間には、緩衝材又は弾性材で構成されているラッチボルト緩衝部１９が介装されており、ラッチボルト緩衝部１９の一端部がクサビ１４に、他端部をラッチボルト１０の左端に取り付けられている。
【００４５】
キャッチ部２は、図１（ａ）に示すように、ラッチボルト１０と係合するキャッチ２０と、キャッチ２０をラッチボルト１０に向かう方向に付勢する第一の変位部材２１及び第二の変位部材２２とを有する。キャッチ２０は、略平板状に形成された取付プレート４の左端縁略中央に取付固定されたフレーム２８に支持されている。フレーム２８は、左右方向に貫通し且つキャッチ２０がちょうど通過できる大きさに形成された開口（図示せず）を有し、該開口にキャッチ２０を挿通させることでキャッチ２０の左右方向以外の方向への移動を規制している。また、キャッチ２０の右端部には、山型に突出した突部２０ａが突設されている。
【００４６】
ラッチボルト１０及びキャッチ２０は、図１（ｂ）に示すように、ラッチボルト１０の山型形状の右端部と、キャッチ２０のラッチボルト１０右端部の形状に対応した谷型形状の左端部とが係合するようになっている。
【００４７】
また、第一の変位部材２１及び第二の変位部材２２は、何れも弾性を有する複数の板状部材を重ね合わせて成り、取付プレート４の右端縁から紙面手前方向に立設された第三の取付片２９に設けられた一対の保持部２６によって保持される。
【００４８】
次に、本実施形態のロック装置の動作について説明する。まず、解錠時には、電動機１２には通電されておらず、電動機１２に設けられたスプリング（図示せず）によってネジ部１３が下方に付勢される。このことによって、クサビ１４が下方へ付勢され、下方へ移動した状態となり、ラッチボルト１０は、上記の凸部１０ｂと凹部１４ｂで構成されているガイド機構によって左方向へ移動した状態となるために、ラッチボルト１０とキャッチ２０との嵌合が外れ、扉Ａの開閉を自由に行なうことができる。
【００４９】
施錠時には、電動機１２に通電されることでネジ部１３が上方へと移動する。このことによって、ネジ部１３と接続されているクサビ１４が上方へ移動し、ラッチボルト１０の傾斜面１０ａを押圧し、ラッチボルト１０を右方向へ移動させて、キャッチ２０と嵌合する。したがって、扉Ａを開けようとすると、キャッチ２０の谷型部分の斜面がラッチボルト１０の山型部分の斜面を押してラッチボルト１０を左方向へ移動させようとするが、ラッチボルト１０の左端部がクサビ１４に当接して移動が阻止される。この時、キャッチ２０もラッチボルト１０から荷重を受けて右方向へと移動して突部２０ａが第一の変位部材２１と当接するとともに、連結部材２４の位置により第二の変位部材２２によっても左方向へと強く付勢されているために右方向への移動が阻止される。このようにして、ラッチボルト１０とキャッチ２０の嵌合が外れないために扉Ａを開けることができない。
【００５０】
ここで、施錠状態において、扉Ａを押すか或いは引くことでキャッチ２０をラッチボルト１０に当接させ、更に荷重することでキャッチ部２の第一の変位部材２１および第二の変位部材２２を撓ます力が作用し、変位部材２１及び２２のばね定数により所定のたわみ量が発生しラッチボルト１０とキャッチ２０の嵌合が外れ、扉Ａを強制開放（開く）することができる。ちなみに施錠力の調整は第一の変位部材２１および第二の変位部材２２の連結位置を連結部材２４により変化させることにより実現している。
【００５１】
なお、ラッチボルト１０が、下方へ行くにしたがって左へ傾斜している傾斜面１０ａを左端に有し、クサビ１４が、下方へ行くにしたがって左へ傾斜している傾斜面１０ａを右端に有するものとしてもよい。この場合、クサビ１４を上方向へ移動させることによって、ラッチボルト１０は左方向へ移動して扉Ａは解錠され、クサビ１４を下方向へ移動させることによって、ラッチボルト１０は右方向へ移動して扉Ａは施錠されることとなる。
【００５２】
また、凸部１０ｂと凹部１４ｂとで構成されるガイド機構を省略して、ラッチボルト１０を左方向へ付勢する弾性材を備えてもよい。
【００５３】
また、電動機１２が、通電した際にネジ部１３を上方へ移動させることができ、非通電とした際には、ネジ部１３の上方への付勢を解除するだけのものであってもよい。この場合には、電動機１２は、ネジ部１３を下方へ移動させることができないので、ラッチボルト１０に左方向へ付勢する弾性材を設けることが必要となる。ラッチボルト１０が、左方向への付勢によって左方向へ移動した場合に、クサビ１４を押圧してクサビ１４を下方へ移動させることができ、ネジ部１３を下方向へ移動させることができる。この場合には、電動機１２は、扉の施錠時のみ通電すればよく、省電力化が実現できる。
【００５４】
したがって、ラッチボルト１０には、移動方向に対して傾斜した傾斜面１０ａが設けられ、制御手段１１は、ラッチボルト１０の傾斜面１０ａに当接して移動することによって、ラッチボルト１０を扉Ａの開閉方向と垂直な方向へ移動させる一又は複数のクサビ１４を有するので、クサビ１４をラッチボルト１０の移動方向と垂直な方向へ移動させ、クサビ１４により傾斜面１０ａを押すことによって、ラッチボルト１０を解錠状態から施錠状態へ移動させることができる。このことによって、制御手段１１をラッチボルト１０の移動方向と垂直方向に移動するものとして構成することができるので、ラッチ部１を細型化することができ、施工スペースの狭い扉枠Ｂなどに取り付けることが可能になる。また、扉Ａの経年劣化等により扉Ａと扉枠Ｂ間の距離が変動した場合であっても、クサビ１４の位置を変更することによって、ラッチボルト１０の突出量を任意に変更することができるので、所定の施錠力を維持することができる。
【００５５】
また、扉Ａと扉枠Ｂとの距離が変動した場合であっても、十分な施錠力の維持が可能であるように、ラッチボルト１０の左右方向への移動距離を十分に確保することができるだけのネジ部１３の上下方向の移動が可能であるように、制御手段１０を構成してもよい。この場合には、クサビ１４の位置を変更する必要がなく、施工後の調整を不要とすることができる。
【００５６】
また、施錠状態から解錠状態とするためにラッチボルト１０を移動させる場合に、ラッチボルト１０と、少なくとも一のクサビ１４とが嵌合しているので、クサビ１４の移動によってラッチボルト１０の移動をガイドすることができる。このことによって、別途ラッチボルト１０を施錠状態から解錠状態へと移動させるための付勢手段を設ける必要がなく、部品を削減することができる。また、ラッチボルト１０に付勢手段が設けられていないので、ラッチボルト１０を解錠状態から施錠状態へと移動させる場合に、付勢に対向してクサビ１４を移動させる必要がなく、ネジ部１３の動力を低減することができ、省電力化が可能となる。
【００５７】
さらに、解錠動作時のクサビ１４への衝撃を緩和するクサビ緩衝部１８を備えているので、解錠動作時にクサビ１４が衝撃によってネジ部１３に噛み込むことで動作不能となる故障を削減することができ、さらに解錠と施錠の反転時の起動を容易にすることができることより信頼性を向上させることが可能である。
【００５８】
また、移動時のラッチボルト１０への衝撃を緩和するラッチボルト緩衝部１９を備えているので、施錠時及び解錠時のラッチボルト１０への衝撃を緩和することができる。このことによって、クサビ１４への衝撃も緩和することができるので、クサビ１４がネジ部１３に噛み込むことによる動作不能となる故障を削減することができ、さらに解錠と施錠の反転時の起動を容易にすることができることより信頼性を向上させることが可能である。
【００５９】
次に、本願発明の第２の実施形態であるロック装置を説明する。ここでは、上記第１の実施形態と相違する事項についてのみ説明し、その他の事項（構成、作用効果等）については、上記第１の実施形態と同様であるのでその説明を省略する。
【００６０】
図５〜図７に示すように、制御手段１１は、回転軸を有する電動機１２と、電動機１２に接続されて電動機１２の回転動力によって回転するネジ部１３とを有し、クサビ１４は、ネジ部１３の回転によって移動するようにネジ部１３と螺合している。また、ネジ部１３のネジ山１３ｃは矩形状である。さらに、制御手段１１は、所定の衝撃力を有してクサビ１４の移動を開始するものであり、電動機１２は、ネジ部１３の周囲を覆って回転動力をネジ部１３へ伝達する駆動歯車１２ａを有し、ネジ部１３は、駆動歯車１２ａとの接続部分の一部にテーパ１３ｄを有し、駆動歯車１２ａは、前記テーパ１３ｄと所定の間隔を有するように突起部１２ｂを備えている。
【００６１】
以下、この実施形態のロック装置をより具体的詳細に説明する。図５に示すように、電動機１２は、ネジ部１３と接続されている。電動機１２は、モータ等によって回転駆動を発生させることができるものであり、ネジ部１３へ回転動力を伝達する駆動歯車１２ａを有している。駆動歯車１２ａに接続されているネジ部１３は、ネジ部１３の中心軸を回転軸として回転するものである。
【００６２】
クサビ１４には、ネジ部１３が貫通することができる貫通孔１４ｃが設けられ、貫通孔１４ｃの内面には、ネジ部１３と螺合することができるように、雌ネジ（図示せず）が設けられている。ここで、図６に示したように、ネジ部１３のネジ山１３ｃを矩形状とすることによって、ネジ部１３とクサビ１４との締結力を低減することができる。
【００６３】
さらに、図７（ａ）に示すように、電動機１２は、ネジ部１３の周囲を覆って回転動力をネジ部１３へ伝達する駆動歯車１２ａを有している。また、ネジ部１３は、駆動歯車１２ａとの接続部分の一部にテーパ１３ｄを有している。駆動歯車１２ａは、テーパ１３ｄと所定の間隔Ｙを有するように突起部１２ｂを設けている。図７（ｂ）及び（ｃ）に示すように、電動機１２が起動した場合、駆動歯車１２ａはネジ部１３の周囲を矢印方向へ回転するものである。起動後、所定時間後には、突起部１２ｂがテーパ１３ｄへ衝突して、所定の衝撃力をネジ部１３に生じさせて回転を開始させることができ、さらに駆動歯車１２ａが回転し続けることによって、突起部１２ｂがテーパ１３ｄを押し続けてネジ部１３が回転を持続する。ネジ部１３に所定の衝撃力を発生させて回転を開始させるので、所定の衝撃力を有してクサビ１４の移動を開始させることができる。
【００６４】
ネジ部１３が回転することによって、ネジ部１３と螺合しているクサビ１４は、ネジ部１３の長手方向へ移動することができる。クサビ１４の移動方向を制御するためには、電動機１２による駆動歯車１２ａの回転方向を制御することによって、ネジ部１３の回転方向が制御されて実現できる。例えば、図５に示すように、ネジ部１３を右ネジとするとＺ方向からみて反時計方向に回転するとクサビ１４が下方向に移動しラッチボルト１０が左方向へ移動して、キャッチ２０との嵌合が外れて解錠される。逆に、時計方向に回転するとクサビ１４が上方向に移動しラッチボルト１０が右方向へ移動してキャッチ２０との嵌合し施錠される。
【００６５】
したがって、制御手段１１は、回転軸を有する電動機１２と、電動機１２に連結されて電動機１２の回転動力によって回転するネジ部１３とを有し、クサビ１４は、ネジ部１３の回転によって移動するようにネジ部１３と螺合しているので、電動機１２の回転方向を制御することによって、クサビ１４の移動方向を変更することができる。このことによって、電動機１２の回転を制御することによって、クサビ１４の移動によるラッチボルト１０の移動を制御して扉Ａの施錠及び解錠ができる。また、ラッチボルト１０の移動距離が長く、クサビ１４の移動距離が必要である場合であっても、ネジ部１３の回転角度を増加させることによってクサビ１４の移動距離を増やすことができるので、制御手段１１を小型にすることができる。
【００６６】
また、ネジ部１３のネジ山１３ｃが矩形状であるので、ネジ部１３の締結力を低減することができ、ラッチボルト１０のネジ部１３への噛み込みによる動作不良の発生を低減することができる。
【００６７】
そして、制御手段１１は、所定の衝撃力を有してクサビ１４の移動を開始するものであるので、クサビ１４がネジ部１３に噛み込むことで動作不能となった場合においても、噛み込みを解除することができる。このことによって、クサビ１４がネジ部１３に噛み込むことで動作不能となる故障を削減することができるので、信頼性を向上させることができる。
【００６８】
また、電動機１２は、ネジ部１３の周囲を覆って回転動力をネジ部１３へ伝達する駆動歯車１２ａを有し、ネジ部１３は、駆動歯車１２ａとの接続部分の一部にテーパ１３ｄを有し、駆動歯車１２ａは、前記テーパ１３ｄと所定の間隔を有するように突起部１２ｂを設けているので、電動機１２の起動後、所定時間後に、駆動歯車１２ａの突起部１２ｂがネジ部１３のテーパ１３ｄに当接することによって、ネジ部１３の回転駆動を開始させることができる。このことによって、駆動歯車１２ａは助走区間を有することができ、突起部１２ｂがテーパ１３ｄに当接する際には、所定の衝撃力を持って、ネジ部１３の回転駆動を開始することができる。このことによって、クサビ１４がネジ部１３に噛み込んでいた場合であっても、衝撃力を伴ったネジ部１３の回転駆動開始によって、噛み込みを解除することができる。
【００６９】
次に、本願発明の第３の実施形態であるロック装置を説明する。ここでは、上記第１及び第２の実施形態と相違する事項についてのみ説明し、その他の事項（構成、作用効果等）については、上記第１及び第２の実施形態と同様であるのでその説明を省略する。
【００７０】
図８及び図９に示すように、ラッチボルト１０は、角度を有した２つの傾斜面１０ａを有し、ネジ部１３は、中央付近を境にして右ネジ１３ａと左ネジ１３ｂとで構成されている。また、２つのクサビ１４がネジ部１３に螺合されており、一のクサビ１４は、ラッチボルト１０の一の傾斜面１０ａに当接してネジ部１３の右ネジ１３ａと螺合し、他のクサビ１４は、ラッチボルト１０の他の傾斜面１０ａに当接してネジ部１３の左ネジ１３ｂと螺合している。
【００７１】
図９に示すように、ロック装置が解錠状態である場合には、２つのクサビ１４は、それぞれネジ部１３の長手方向へ離れた状態を維持している。この状態より、電動機１２の回転動力によって、ネジ部１３が中心軸を回転軸として回転した場合、右ネジ１３ａ及び左ネジ１３ｂに螺合しているそれぞれのクサビ１４は、互いに近づく方向へ移動することとなる。クサビ１４の移動によって、クサビ１４のそれぞれの傾斜面１４ａが、ラッチボルト１０の２つの傾斜面をそれぞれ押し、ラッチボルト１０は右方向へ移動して施錠状態となる。
【００７２】
また、施錠状態より解錠する場合の動作は、電動機１２を施錠時と反対方向への回転動力を発生させて、ネジ部１３を施錠時と反対方向へ回転させる。このことによって、ネジ部１３に螺合しているクサビ１４は、施錠時と反対の方向へ移動、すなわち互いに離れる方向へ移動することとなる。クサビ１４の移動によって、ラッチボルト１０の凸部１０ｂとクサビ１４の凹部１４ｂとで構成されているガイド機構によって、ラッチボルト１０は右方向へ移動して解錠状態となる。
【００７３】
したがって、ラッチボルト１０は、角度を有した少なくとも２つの傾斜面１０ａを有し、ネジ部１３は、中央付近を境にして右ネジ１３ａと左ネジ１３ｂとで構成されており、一のクサビ１４は、ラッチボルト１０の一の傾斜面１０ａに当接してネジ部１３の右ネジ１３ａと嵌合し、他のクサビ１４は、ラッチボルト１０の他の傾斜面１０ａに当接してネジ部１３の左ネジ１３ｂと嵌合しているので、ラッチボルト１０を複数のクサビ１４で支持することができる。このことによって、ラッチボルト１０の移動をより安定したものとすることができる。また、ネジ部１３の回転によって、クサビ１４は、相対する方向へ移動することができる。クサビ１４が離れる方向へ移動する場合には、ラッチボルト１０は、解錠する方向へ移動し、クサビ１４が近づく方向へ移動する場合には、ラッチボルト１０は、施錠する方向へ移動することができる。このことによって、新たな電動機１２及びネジ部１３を追加することなく、複数のクサビ１４の移動によるラッチボルト１０の移動を制御することができるので、部品点数を削減することができる。
【００７４】
次に、本願発明の第４の実施形態であるロック装置を説明する。ここでは、上記第１〜第３の実施形態と相違する事項についてのみ説明し、その他の事項（構成、作用効果等）については、上記第１〜第３の実施形態と同様であるのでその説明を省略する。
【００７５】
図１０〜図１２に示すように、クサビ１４は、貫通孔１４ｃと、貫通孔１４ｃ内に配設されているナットフランジ１４０とを備え、ナットフランジ１４０は、ネジ部１３と嵌合するナット部１４０ａと、ナット部１４０ａの両端であって貫通孔１４ｃの外側に配設されたフランジ１４０ｂとを備えている。また、ナットフランジ１４０の両フランジ１４０ｂ間の距離は、貫通孔１４ｃの長さより大きいものである。また、クサビ１４と、少なくとも一方のフランジ１４０ｂとの間にナットフランジ緩衝部である波形座金１４０ｃが設けられている。
【００７６】
ナットフランジ１４０は、図１０に示すように、中央にナット部１４０ａを備え、ナット部１４０ａの両端にドーナツ形状のフランジ１４０ｂを備えている。フランジ１４０ｂの少なくとも一方には、一部にフラット部１４０ｄを有している。
【００７７】
図１１に示すように、ナットフランジ１４０は、少なくとも一方のクサビ１４の貫通孔１４ｃに配設されている。貫通孔１４ｃとナットフランジ１４０のナット部１４０ａとの間には一定のクリアランスを設けており、ナットフランジ１４０は、貫通孔１４ｃの中を上下左右に移動が可能である。また、両フランジ１４０ｂは、クサビ１４の外側に配設されているので、ナットフランジ１４０は、貫通孔１４ｃより外れることはない。さらに、ナットフランジ１４０は、フランジ１４０ｂのフラット部１４０ｄが取付板１５に当接されるように、貫通孔１４ｃに配設される。フラット部１４０ｄが取付板１５に当接されているので、ネジ部１３の回転によってもナットフランジ１４０は回転することなく、上下方向へ移動することができる。
【００７８】
ロック装置が解錠状態である場合には、２つのクサビ１４は、それぞれネジ部１３の長手方向へ離れた状態を維持している。この状態より、電動機１２の回転動力によって、ネジ部１３が中心軸を回転軸として回転した場合、右ネジ１３ａ及び左ネジ１３ｂに螺合しているそれぞれのクサビ１４は、互いに近づく方向へ移動することとなる。図１２に示すように、下側のクサビにナットフランジ１４０が配設されている場合、ナットフランジ１４０がネジ部１３の回転によって上方向へ移動し、下側のフランジ１４０ｂがクサビ１４の下面を上方へ押し上げることによって、クサビ１４が上方向へ移動する。これらのクサビ１４の移動によって、クサビ１４のそれぞれの傾斜面１４ａが、ラッチボルト１０の２つの傾斜面をそれぞれ押し、ラッチボルト１０は右方向へ移動して施錠状態となる。
【００７９】
また、施錠状態より解錠する場合の動作は、電動機１２を施錠時と反対方向への回転動力を発生させて、ネジ部１３を施錠時と反対方向へ回転させる。このことによって、ネジ部１３に螺合しているクサビ１４は、施錠時と反対の方向へ移動、すなわち互いに離れる方向へ移動することとなる。下側のクサビ１４の下方向への移動については、ネジ部１３の回転によってナットフランジ１４０が下方向へ移動し、上側のフランジ１４０ｂがクサビ１４の上面を下方へ押し下げることによって、クサビ１４が下方向へ移動する。また、クサビ１４の移動によって、ラッチボルト１０の凸部１０ｂとクサビ１４の凹部１４ｂとで構成されているガイド機構によって、ラッチボルト１０は左方向へ移動して解錠状態となる。
【００８０】
さらに、フランジ１４０ｂとクサビ１４との間及びフランジ１４０ｂとストッパー１６との間に波形座金１４０ｃを設けることによって、解錠時及び施錠時のナットフランジ１４０からクサビ１４への衝撃力を緩和することができる。また、フランジ１４０ｂとクサビ１４との隙間を変更することによって、クサビ１４への衝撃力を調整することが可能である。
【００８１】
したがって、クサビ１４は、貫通孔１４ｃと、貫通孔１４ｃ内に設けられたナットフランジ１４０とを備え、ナットフランジ１４０は、ネジ部１３と嵌合するナット部１４０ａと、ナット部１４０ａの両端であって貫通孔１４ｃの外側に配設されたフランジ１４０ｂとを備えているので、ネジ部１３の回転によってナットフランジ１４０が移動し、フランジ１４０ｂがクサビ１４の側面を押すことでクサビ１４を移動させることができる。このことによって、ネジ部１３の回転とクサビ１４の移動にナットフランジ１４０が介在することができ、ネジ部１３にラジアル方向の荷重を印加することを低減することができるので、低トルク化及び動作の信頼性向上が実現できる。
【００８２】
さらに、ナットフランジ１４０の両フランジ１４０ｂ間の距離は、貫通孔１４ｃの長さより大きいので、フランジ１４０ｂとクサビ１４との間に隙間を設けることができる。このことによって、両フランジ１４０ｂの距離を変更することで、フランジ１４０ｂとクサビ１４との間の距離を変更することができ、施錠と解錠との反転時のナットフランジ１４０によるクサビ１４への衝撃力を任意に設定することができるので、クサビ１４のネジ部１３への噛み込みによる動作不良の発生を低減することができる。
【００８３】
また、クサビ１４と、少なくとも一方のフランジ１４０ｂとの間に緩衝材又は弾性材で構成されているナットフランジ緩衝部である波形座金１４０ｃを設けているので、施錠時又は解錠時のナットフランジ１４０のクサビ１４への衝撃を緩和することができ、クサビ１４のネジ部１３への噛み込みによる動作不良の発生を低減することができる。
【図面の簡単な説明】
【００８４】
【図１】本願発明の第１の実施形態であるロック装置を示した（ａ）構成図と（ｂ）ラッチボルト及びキャッチの嵌合を示した平面図である。
【図２】同ロック装置を扉及び扉枠に取り付けた状態を示した全体斜視図である。
【図３】同ロック装置のラッチボルトとクサビとの嵌合状態における（ａ）概略構成図と（ｂ）断面図である。
【図４】同ロック装置のキャッチ部を示す一部省略図である。
【図５】本願発明の第２の実施形態であるロック装置を示した構成図である。
【図６】同ロック装置におけるネジ部のネジ山の断面図である。
【図７】同ロック装置における電動機の駆動歯車とネジ部との構成を示した概略断面図である。
【図８】本願発明の第２の実施形態であるロック装置の構成図である。
【図９】同ロック装置におけるネジ部、クサビ及びラッチボルトの構成を示した概略構成図である。
【図１０】本願発明の第２の実施形態であるロック装置におけるナットフランジを示した斜視図である。
【図１１】同ロック装置におけるネジ部、クサビ及びラッチボルトの構成を示した概略構成図である。
【図１２】同ロック装置におけるナットフランジ緩衝部（波型座金）を示した（ａ）正面図と（ｂ）断面図である。
【図１３】従来例であるロック装置を示した構成図である。
【符号の説明】
【００８５】
１  ラッチ部
１０  ラッチボルト
１０ａ  傾斜面
１１  制御手段
１２  電動機
１２ａ  駆動歯車
１２ｂ  突起部
１３  ネジ部
１３ａ  右ネジ
１３ｂ  左ネジ
１３ｃ  ネジ山
１３ｄ  テーパ
１４  クサビ
１４ｃ  貫通孔
１４０  ナットフランジ
１４０ａ  ナット部
１４０ｂ  フランジ
１４０ｃ  ナットフランジ緩衝部
１８  クサビ緩衝部
１９  ラッチボルト緩衝部
２  キャッチ部
２０  キャッチ
２１  第一の変位部材
２２  第ニの変位部材
２４  連結部材
Ａ  扉
Ｂ  扉枠
【図１】
2008267024.tif 000003
【図２】
2008267024.tif 000004
【図３】
2008267024.tif 000005
【図４】
2008267024.tif 000006
【図５】
2008267024.tif 000007
【図６】
2008267024.tif 000008
【図７】
2008267024.tif 000009
【図８】
2008267024.tif 000010
【図９】
2008267024.tif 000011
【図１０】
2008267024.tif 000012
【図１１】
2008267024.tif 000013
【図１２】
2008267024.tif 000014
【図１３】
2008267024.tif 000015